(57)【要約】【課題】光源から光が出射される方向とは異なった方向を向いた発光面における輝度ムラを抑制する技術を提供する。【解決手段】導光部７０は、内側側面５４、外側側面５６を有する。内側側面５４は、互いに同一の第１方向を向いて並べられる第１開放端側面５０と第２開放端側面５２から反対方向に突出する。外側側面５６は、内側側面５４と同一の第２方向に突出しながら内側側面５４の少なくとも一部と反対方向を向いて並べられる。発光部７２は、導光部７０の天面５８において、第１開放端側面５０側と第２開放端側面５２側とを跨ぐように配置される。【選択図】図３
2018125146.tif 000002
【特許請求の範囲】
【請求項１】
互いに同一の第１方向を向いて並べられる第１開放端側面と第２開放端側面から反対方向に突出する内側側面と、前記内側側面と同一の第２方向に突出しながら前記内側側面の少なくとも一部と反対方向を向いて並べられる外側側面とを有する導光部と、
前記導光部の天面において、第１開放端側面側と第２開放端側面側とを跨ぐように配置される発光部と、
を備える導光体。
【請求項２】
互いに同一の第１方向を向いて並べられる第１開放端側面と第２開放端側面から反対方向に突出する内側側面と、前記内側側面と同一の第２方向に突出しながら前記内側側面の少なくとも一部と反対方向を向いて並べられる外側側面とを有する導光部と、前記導光部の天面において、第１開放端側面側と第２開放端側面側とを跨ぐように配置される発光部とを備える導光体と、
前記導光体における前記外側側面の突出部分に対向して配置される光源と、
を備える照明装置。
【請求項３】
前記光源は、前記導光体の天面と底面とを結ぶ方向の中央から、前記底面の方に配置される請求項２に記載の照明装置。
【請求項４】
前記導光体における前記第１開放端側面と前記第２開放端側面とに対向して配置される遮光部をさらに備える請求項２または３に記載の照明装置。
【請求項５】
前記光源から、前記外側側面と前記内側側面とを貫通して前記発光部に至る第１経路と、
前記光源から、前記外側側面を貫通して、前記外側側面と前記内側側面との間を拡散しながら前記発光部に至る第２経路と、
前記光源から、前記外側側面に沿って前記発光部に至る第３経路をと含む請求項２から４のいずれかに記載の照明装置。
【請求項６】
互いに同一の第１方向を向いて並べられる第１開放端側面と第２開放端側面から反対方向に突出する内側側面と、前記内側側面と同一の第２方向に突出しながら前記内側側面の少なくとも一部と反対方向を向いて並べられる外側側面とを有する導光部と、前記導光部の天面において、第１開放端側面側と第２開放端側面側とを跨ぐように配置される発光部とを備える導光体と、
前記導光体における前記外側側面の突出部分に対向して配置される光源と、
を備える電子機器。
【発明の詳細な説明】
【技術分野】
【０００１】
本発明は、照明技術に関し、特に配光を制御する導光体、照明装置、電子機器に関する。
【背景技術】
【０００２】
導光体を備えた照明装置では、光源からの光が導光体の入射面から入射し、光を他方へ効率よく導き、光を導光体の外に出射する面（発光面）から光を均質に照射される。このような照明装置において導光体をライン状に発光させることが求められる場合がある。例えば、光源の前方に配置された導光体は、入射面からの光を左右方向に沿うように内部反射させる複数の第１反射面と、複数の第１反射面で内部反射された光を前方に内部反射させる複数の第２出射面とを備える。さらに、第２反射面で内部反射された光は出射面から前方に出射される（例えば、特許文献１参照）。
【先行技術文献】
【特許文献】
【０００３】
【特許文献１】特開２０１３−４５６０９号公報
【発明の概要】
【発明が解決しようとする課題】
【０００４】
導光体の発光面は光源の近くの部分において最も輝度が高くなり、光源から離れるほど輝度が低くなるので、１つの発光面の中で輝度の高低差が生じる。この輝度の高低差は、発光面の輝度ムラとして現れる。また、光を出射する発光面について、光源と対向する位置にある発光面以外にも光源と光が出射される方向とは異なった方向を向いた発光面が必要とされる場合がある。
【０００５】
本発明はこうした状況に鑑みてなされたものであり、その目的は、光源から光が出射される方向とは異なった方向を向いた発光面における輝度ムラを抑制する技術を提供することにある。
【課題を解決するための手段】
【０００６】
上記課題を解決するために、本発明のある態様の導光体は、互いに同一の第１方向を向いて並べられる第１開放端側面と第２開放端側面から反対方向に突出する内側側面と、内側側面と同一の第２方向に突出しながら内側側面の少なくとも一部と反対方向を向いて並べられる外側側面とを有する導光部と、導光部の天面において、第１開放端側面側と第２開放端側面側とを跨ぐように配置される発光部と、を備える。
【０００７】
本発明の別の態様は、照明装置である。この装置は、互いに同一の第１方向を向いて並べられる第１開放端側面と第２開放端側面から反対方向に突出する内側側面と、内側側面と同一の第２方向に突出しながら内側側面の少なくとも一部と反対方向を向いて並べられる外側側面とを有する導光部と、導光部の天面において、第１開放端側面側と第２開放端側面側とを跨ぐように配置される発光部とを備える導光体と、導光体における外側側面の突出部分に対向して配置される光源と、を備える。
【０００８】
本発明のさらに別の態様は、電子機器である。この電子機器は、互いに同一の第１方向を向いて並べられる第１開放端側面と第２開放端側面から反対方向に突出する内側側面と、内側側面と同一の第２方向に突出しながら内側側面の少なくとも一部と反対方向を向いて並べられる外側側面とを有する導光部と、導光部の天面において、第１開放端側面側と第２開放端側面側とを跨ぐように配置される発光部とを備える導光体と、導光体における外側側面の突出部分に対向して配置される光源と、を備える。
【発明の効果】
【０００９】
本発明によれば、光源から光が出射される方向とは異なった方向を向いた発光面における輝度ムラを抑制できる。
【図面の簡単な説明】
【００１０】
【図１】図１（ａ）−（ｃ）は、実施例に係る電子機器の構造を示す図である。
【図２】図２（ａ）−（ｂ）は、図１（ａ）−（ｃ）の電子機器の構造を示す部分断面図である。
【図３】図３（ａ）−（ｂ）は、実施例に係る導光体、基板、光源の構造を示す斜視図である。
【図４】図４（ａ）−（ｃ）は、図３（ａ）−（ｂ）の導光体、基板、光源の構造を示す図である。
【図５】図５（ａ）−（ｅ）は、図３（ａ）−（ｂ）の導光体、基板、光源によって形成される光路を示す図である。
【発明を実施するための形態】
【００１１】
本実施例を具体的に説明する前に、基礎となった知見を説明する。本発明の実施例は、導光体によりライン状に発光する照明装置を備える電子機器に関する。前述のごとく、ライン状の発光面では、光源の近くの部分において最も輝度が高くなり、光源から離れるほど輝度が低くなることによって、発光面の輝度ムラが生じる。この輝度ムラを抑制するためには、ライン状の長手方向に沿って複数の光源を配置することが有効であるが、複数の光源が必要になる。しかしながら、電子機器の重量や使用電力を考えると電子機器にとってこれは好ましくない。また、複数の光源によって照明装置のコストも増加してしまうので望ましくない。さらに、電子機器の構造によっては、導光体の発光面が、光源から光が出射される方向とは異なった方向を向くこともある。
【００１２】
本実施例においては、導光体におけるライン状の発光面が、光源から光が出射される方向とは異なった方向を向く場合であり、かつ少数の光源だけを備える場合であっても、輝度ムラを抑制することを目的とする。なお、以下の説明において、「平行」、「直交」は、完全な平行、直交だけではなく、誤差の範囲で平行、直交からずれている場合も含むものとする。また、「略」は、おおよその範囲で同一であるという意味である。
【００１３】
図１（ａ）−（ｃ）は、電子機器１００の構造を示す。図１（ａ）−（ｃ）に示すように、ｘ軸、ｙ軸、ｚ軸からなる直交座標系が規定される。ｘ軸、ｙ軸は互いに直交する。ｚ軸は、ｘ軸およびｙ軸に垂直であり、電子機器１００の高さ方向に延びる。また、ｘ軸、ｙ軸、ｚ軸のそれぞれの正の方向は、図１（ａ）−（ｃ）における矢印の方向に規定され、負の方向は、矢印と逆向きの方向に規定される。ここでは、ｚ軸の正方向を「上方」、「上側」、「上面側」、ｚ軸の負方向を「下方」、「下側」、「下面側」、ｘ軸の正方向を「前方」、「前側」、「前面側」、ｘ軸の負方向を「後方」、「後側」、「後面側」ということもある。そのため、図１（ａ）は電子機器１００の斜視図であり、図１（ｂ）は電子機器１００の前面を示す正面図であり、図１（ｃ）は電子機器１００を前方のななめ上方から見た場合の図である。
【００１４】
電子機器１００の一例は、車載用のオーディオデッキである。電子機器１００の後方には、箱形状の筐体１０が配置され、筐体１０の前方に板形状の前面パネル１２が接続される。筐体１０は、電子機器１００における電子部品を収納しており、例えば、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＢＤ（Ｂｌｕ−ｒａｙ（登録商標）  Ｄｉｓｃ）等のディスクを再生あるいは記録するための電子部品や電子機器１００の動作に必要な電子部品などを収納する。そのため、電子機器１００は、これらの電子部品を収納したカーナビゲーション装置であってもよい。
【００１５】
前面パネル１２は、ｚ軸方向よりもｙ軸方向に長い矩形状の平面を有する。前面パネル１２の下方には、ｙ軸方向に長く開口した挿入口１４が配置される。挿入口１４においてディスクの挿入および排出がなされる。本実施例においては、例えば、ディスクを挿入する際、あるいはディスクを排出する際に、挿入口１４の内部に配置される発光面４０が発光する。以下では、挿入口１４の内部の発光を説明するために、図２（ａ）−（ｂ）を使用しながら電子機器１００の内部構造を説明する。なお、図１の筐体１０と前面パネル１２のｚ軸方向の高さは同じでもよく、さらに、ｙ軸方向も同じ長さであってもよい。
【００１６】
図２（ａ）−（ｂ）は、電子機器１００の構造を示す部分断面図であり、図１（ａ）のＡ−Ａ’線に沿った断面図である。前面側に配置された挿入口１４の後方には、収納部２４が形成される。収納部２４は、筐体１０における下面１６と上面１８とによって挟まれた空間であり、再生あるいは記録するためのディスクを収納可能である。挿入口１４および収納部２４の構造には公知の技術が使用されればよいので、ここでは説明を省略するが、下面１６は、ｘ−ｙ平面に広がる上方向きの面であり、上面１８は、ｘ−ｙ平面に広がる下方向きの面である。そのため、下面１６と上面１８とは対向して配置される。
【００１７】
下面１６の前方部分かつｙ軸方向の中央部分には、ｘ軸方向よりもｙ軸方向に長い矩形状の開口部２０が、下面１６をｚ軸方向に貫通するように設けられる。開口部２０には、下方から導光体３０が嵌め込まれ、導光体３０の発光面４０が開口部２０から露出する。開口部２０への嵌め込みによって、発光面４０は下面１６と略面一になるように配置される。ここで、発光面４０は、開口部２０の形状に合うようなｘ軸方向よりもｙ軸方向に長い矩形状の面であり、前述のライン状の面である。
【００１８】
導光体３０の形状については後述するが、導光体３０は発光面４０から下方に延び、さらに後方に延びる。導光体３０の最後方の部分には入射部４２が配置される。入射部４２から後方に離間した位置には板形状の基板３２が配置されるとともに、基板３２上に配置された１つの光源３４は入射部４２に対向する。入射部４２には、例えば、ＬＥＤ（Ｌｉｇｈｔ  Ｅｍｉｔｔｉｎｇ  Ｄｉｏｄｅ）である光源３４からの光が入射される。このような構造から明らかなように、光源３４からｘ軸の正方向に出射された光は、ｚ軸の正方向を向いた発光面４０から出射される。つまり、光源３４から光が出射される方向と、発光面４０が向く方向とは異なる。そのための光の向きの変更は導光体３０においてなされる。
【００１９】
ここで、導光体３０の前方には、前面パネル１２の内壁が遮光部２２として配置される。遮光部２２は後方を向いており、そのｙ−ｚ平面の広さは導光体３０のｙ−ｚ平面の広さよりも広い。そのため、導光体３０から前方に出射される光、つまり発光面４０の向きとは異なった方向に出射される光は、遮光部２２によって遮蔽される。これにより、前面パネル１２の前面から光は出射されない。
【００２０】
図３（ａ）−（ｂ）は、導光体３０、基板３２、光源３４の構造を示す斜視図である。図４（ａ）−（ｃ）は、導光体３０、基板３２、光源３４の構造を示す。これらは、図２（ａ）−（ｂ）における導光体３０、基板３２、光源３４だけを示す。導光体３０、基板３２、光源３４の組合せは発光装置とも呼ばれる。なお、発光装置には、図２（ｂ）の遮光部２２が含まれてもよい。図３（ａ）−（ｂ）は互いに異なった方向から見た場合の斜視図であり、図４（ａ）は前方から見た場合の正面図であり、図４（ｂ）は下方から見た場合の下面図であり、図４（ｃ）は側面から見た場合の側面図である。
【００２１】
導光体３０は、導光部７０、発光部７２、第１取付板部７４、第２取付板部７６を含む。また、導光部７０は、第１開放端側面５０、第２開放端側面５２、内側側面５４、外側側面５６、天面５８、底面６０を含み、第１取付板部７４は第１取付孔７８を含み、第２取付板部７６は第２取付孔８０を含む。導光部７０、発光部７２、第１取付板部７４、第２取付板部７６は、プラスチック等の合成樹脂によって一体的に形成され、かつ光拡散剤を含んで形成される。そのため、例えば、導光体３０は、乳白色のような非透明性を有する。
【００２２】
第１開放端側面５０と第２開放端側面５２は、互いに同一の第１方向であるｘ軸の正方向を向いて、ｙ軸方向に離間して並べられる。第１開放端側面５０と第２開放端側面５２は、いずれも略矩形状を有する。第１開放端側面５０と第２開放端側面５２において互いに近接した方の縁部からｘ軸の負方向に、内側側面５４が突出する。内側側面５４はｘ−ｙ平面においてＶ字型を有し、ｚ軸方向に延びる壁部である。また、内側側面５４と同一の第２方向であるｘ軸の負方向に突出した外側側面５６は、内側側面５４の少なくとも一部と反対方向を向いて並べられる。外側側面５６も、内側側面５４と同様にｘ−ｙ平面においてＶ字型を有するので、ｘ−ｙ平面において内側側面５４と外側側面５６とに挟まれて形成される導光部７０もＶ字型を有する。ここで、外側側面５６の突出した部分が入射部４２に相当する。また、導光部７０におけるｚ軸の正方向側のｘ−ｙ平面が天面５８であり、ｚ軸の負方向側のｘ−ｙ平面が底面６０である。
【００２３】
発光部７２は、ｙ軸方向に延びる柱形状を有し、導光部７０の天面５８におけるｘ軸の正方向側で、第１開放端側面５０側と第２開放端側面５２側とを跨ぐように配置される。発光部７２のｚ軸の正方向側の面が発光面４０である。導光体３０のｘ軸の正方向側、かつｙ軸の負方向側には、板形状を有する第１取付板部７４が配置され、導光体３０のｘ軸の正方向側、かつｙ軸の正方向側には、板形状を有する第２取付板部７６が配置される。第１取付板部７４にはｘ軸方向に貫通した第１取付孔７８が設けられ、第２取付板部７６にはｘ軸方向に貫通した第２取付孔８０が設けられる。
【００２４】
導光体３０における第１開放端側面５０と第２開放端側面５２とに対向するように、図２（ｂ）の遮光部２２が配置される。前述のごとく、遮光部２２は前面パネル１２の内壁である。ここで、第１取付孔７８と第２取付孔８０とにネジを通すことによって、第１取付板部７４と第２取付板部７６とが前面パネル１２の内壁に固定される。その結果、導光体３０が固定される。
【００２５】
前述のごとく、光源３４は、基板３２上において、導光体３０における外側側面５６の突出部分、つまり入射部４２に対向して配置される。ここで、図４（ｃ）に示されるように、入射部４２におけるｚ軸方向の中央の位置がＣ１と示される。また、基板３２において、Ｃ１に対向した位置、つまりＣ１と同じ高さの位置はＣ２と示される。光源３４は、基板３２上においてＣ２よりも下方に配置される。これは、導光体３０の天面５８と底面６０とを結ぶ方向の中央から、底面６０の方に光源３４が配置されることに相当する。
【００２６】
図５（ａ）−（ｅ）は、導光体３０、基板３２、光源３４によって形成される光路を示す。図５（ａ）−（ｂ）は、発光面４０のｙ軸方向の中央部分を発光させるための光路を示し、図５（ｃ）−（ｅ）は、発光面４０のｙ軸方向の端部を発光させるための光路を示す。
【００２７】
図５（ａ）−（ｂ）では、発光面４０のｙ軸方向の中央部分を発光させるための光路が第１光路２００と示される。光源３４から出射された光は、入射部４２から導光部７０の内部に進入する。また、導光部７０の内部に進入した光には、導光部７０の内部を拡散しながら進む成分があれば、そのまま直進して内側側面５４から導光部７０の外部に出て行く成分もある。後者の成分は、発光部７２の内部に進入し、発光部７２の発光面４０から出て行くことによって、発光面４０を発光させる。つまり、第１光路２００は、光源３４から、導光部７０における外側側面５６と内側側面５４とを貫通して発光部７２に至るといえる。このように第１光路２００によって発光面４０の中央部分から出射される光の輝度は、導光体３０による減衰、つまり導光体３０による遮蔽によって弱められる。この遮蔽の効果は、導光体３０の天面５８と底面６０とを結ぶ方向の中央から、底面６０の方に光源３４が配置されることによって大きくなる。
【００２８】
図５（ｃ）−（ｄ）では、発光面４０のｙ軸方向の端部を発光させるための光路が第２光路２０２と示される。光源３４から出射された光は、入射部４２から導光部７０の内部に進入する。また、導光部７０の内部に進入した光には、導光部７０の内部を拡散しながら進む成分があれば、そのまま直進して内側側面５４から導光部７０の外部に出て行く成分もある。前者の成分は、発光部７２まで拡散して進み、発光部７２の発光面４０から出て行くことによって、発光面４０を発光させる。つまり、第２光路２０２は、光源３４から、導光体３０の外側側面５６を貫通して、導光体３０の外側側面５６と内側側面５４との間を拡散しながら発光部７２に至るといえる。
【００２９】
図５（ｃ）、（ｅ）では、発光面４０のｙ軸方向の端部を発光させるための光路が第３光路２０４と示される。光源３４から出射された光は、導光体３０の内部に進入せずに外側側面５６に沿って進む。さらに当該光は、発光部７２の内部に進入し、発光部７２の発光面４０から出て行くことによって、発光面４０を発光させる。つまり、第３光路２０４は、光源３４から、外側側面５６に沿って発光部７２に至るといえる。特に、導光部７０がＶ字型に突出するように形成されるので、第３光路２０４が形成されやすくなる。このように発光面４０のｙ軸方向の端部では、第２光路２０２の光と第３光路２０４の光とが合成されて発光される。そのため、発光面４０のｙ軸方向の端部から出射される光の輝度は、第２光路２０２の光と第３光路２０４の光との合成によって強められる。
【００３０】
これらをまとめると、発光面４０のｙ軸方向の中央部分を発光させる光が弱められ、発光面４０のｙ軸方向の端部を発光させる光が強められるので、両者の輝度の高低差が小さくなる。その結果、導光体３０におけるライン状の発光面４０が、光源３４から光が出射される方向とは異なった方向を向く場合であり、かつ１つの光源３４だけを備える場合であっても、輝度ムラが抑制される。
【００３１】
本発明の実施例によれば、突出した導光部によって光を遮蔽しながら拡散させるとともに、導光部の外側側面に沿って光を進めさせるので、発光面の場所による輝度の高低差を低減できる。また、導光部の天面に発光部を設けるので、光源から光が出射される方向とは異なった方向を向いた発光面における輝度ムラを抑制できる。また、導光体の天面と底面とを結ぶ方向の中央から、底面の方に光源が配置されるので、導光部によって光を遮蔽しやすくできる。また、導光部によって光が遮蔽しやすくなるので、導光面の中央部分から発光される光の輝度を低減できる。また、第１開放端側面と第２開放端側面とに対向して遮光部を配置させるので、光源から光が出射される方向とは異なった方向を向いた発光面の発光を強くできる。また、第１経路の光が減衰され、第２経路の光と第３経路の光とが合成されるので、ライン状の発光面の輝度ムラを抑制できる。
【００３２】
本発明の一態様の概要は、次の通りである。本発明のある態様の導光体は、互いに同一の第１方向を向いて並べられる第１開放端側面と第２開放端側面から反対方向に突出する内側側面と、内側側面と同一の第２方向に突出しながら内側側面の少なくとも一部と反対方向を向いて並べられる外側側面とを有する導光部と、導光部の天面において、第１開放端側面側と第２開放端側面側とを跨ぐように配置される発光部と、を備える。
【００３３】
この態様によると、突出した導光部によって光を遮蔽しながら拡散させるとともに、導光部の外側側面に沿って光を進めさせるので、光源から光が出射される方向とは異なった方向を向いた発光面における輝度ムラを抑制できる。
【００３４】
本発明の別の態様は、照明装置である。この装置は、互いに同一の第１方向を向いて並べられる第１開放端側面と第２開放端側面から反対方向に突出する内側側面と、内側側面と同一の第２方向に突出しながら内側側面の少なくとも一部と反対方向を向いて並べられる外側側面とを有する導光部と、導光部の天面において、第１開放端側面側と第２開放端側面側とを跨ぐように配置される発光部とを備える導光体と、導光体における外側側面の突出部分に対向して配置される光源と、を備える。
【００３５】
この態様によると、突出した導光部によって光を遮蔽しながら拡散させるとともに、導光部の外側側面に沿って光を進めさせるので、光源から光が出射される方向とは異なった方向を向いた発光面における輝度ムラを抑制できる。
【００３６】
光源は、導光体の天面と底面とを結ぶ方向の中央から、底面の方に配置されてもよい。この場合、導光体の天面と底面とを結ぶ方向の中央から、底面の方に光源が配置されるので、導光部によって光を遮蔽しやすくできる。
【００３７】
導光体における第１開放端側面と第２開放端側面とに対向して配置される遮光部をさらに備えてもよい。この場合、第１開放端側面と第２開放端側面とに対向して遮光部を配置させるので、光源から光が出射される方向とは異なった方向を向いた発光面の発光を強くできる。
【００３８】
光源から、外側側面と内側側面とを貫通して発光部に至る第１経路と、光源から、外側側面を貫通して、外側側面と内側側面との間を拡散しながら発光部に至る第２経路と、光源から、外側側面に沿って発光部に至る第３経路をと含んでもよい。この場合、第１経路の光が減衰され、第２経路の光と第３経路の光とが合成されるので、ライン状の発光面の輝度ムラを抑制できる。
【００３９】
本発明のさらに別の態様は、電子機器である。この電子機器は、互いに同一の第１方向を向いて並べられる第１開放端側面と第２開放端側面から反対方向に突出する内側側面と、内側側面と同一の第２方向に突出しながら内側側面の少なくとも一部と反対方向を向いて並べられる外側側面とを有する導光部と、導光部の天面において、第１開放端側面側と第２開放端側面側とを跨ぐように配置される発光部とを備える導光体と、導光体における外側側面の突出部分に対向して配置される光源と、を備える。
【００４０】
この態様によると、突出した導光部によって光を遮蔽しながら拡散させるとともに、導光部の外側側面に沿って光を進めさせるので、光源から光が出射される方向とは異なった方向を向いた発光面における輝度ムラを抑制できる。
【００４１】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００４２】
本実施例において、電子機器１００は、車両に搭載される。しかしながらこれに限らず例えば、電子機器１００は、車両に搭載されなくてもよい。本変形例によれば、適用範囲を拡大できる。
【００４３】
本実施例において、導光部７０はＶ字型に突出している。しかしながらこれに限らず例えば、導光部７０はＶ字型以外の形状に突出してもよい。Ｖ字型以外の形状の一例は、Ｕ字型である。本変形例によれば、構成の自由度を向上できる。
【００４４】
本実施例において、導光体３０は、光拡散剤を含んで形成される。しかしながらこれに限らず例えば、導光体３０のうちの導光部７０は透明導光体で、それ以外の部分は光拡散剤を含んで形成されてもよい。本変形例によれば、光拡散剤による輝度の低下が抑制されるので、光源３４として出力の低いＬＥＤを使用できる。
【符号の説明】
【００４５】
２２  遮光部、  ３２  基板、  ３４  光源、  ４０  発光面、  ４２  入射部、  ５０  第１開放端側面、  ５２  第２開放端側面、  ５４  内側側面、  ５６  外側側面、  ５８  天面、  ６０  底面、  ７０  導光部、  ７２  発光部、  ７４  第１取付板部、  ７６  第２取付板部、  ７８  第１取付孔、  ８０  第２取付孔、  １００  電子機器。
【図１】
2018125146.tif 000003
【図２】
2018125146.tif 000004
【図３】
2018125146.tif 000005
【図４】
2018125146.tif 000006
【図５】
2018125146.tif 000007